(57)【特許請求の範囲】
【請求項１】
光源と、反射面を有するリフレクタとを具備し、
前記光源から放射された光を前記リフレクタによって照明装置の前側に反射するように構成された照明装置において、
前記光源から放射された光を照明装置の左側または右側に反射するための第１反射面と、前記第１反射面からの反射光を照明装置の前側に反射するための第２反射面とを有する導光部を設け、
前記リフレクタの反射面のうち、前記光源から近い側の部分の前側に前記導光部を配置し、
前記第１反射面および前記第２反射面を光源の主光軸線の左側および右側にそれぞれ配置し、
前記光源から放射された光を照明装置の前側に反射するための第３反射面を光源の主光軸線の左側および右側の２つの第２反射面の間に配置し、
前記第３反射面からの反射光を透過させるための出射面を前記導光部に形成し、
照明装置の前後方向に直交する鉛直断面内における前記第３反射面の断面形状を凹状に形成し、
水平断面内における前記出射面の断面形状を凸状に形成したことを特徴とする照明装置。
【請求項２】
前記リフレクタと前記導光部とを一部材によって形成したことを特徴とする請求項１に記載の照明装置。
【請求項３】
前記リフレクタの反射面のうち、前記光源から遠い側の部分の前側に拡散機能を備えたレンズ部を配置したことを特徴とする請求項２に記載の照明装置。
【請求項４】
前記レンズ部と前記導光部とを一体的に形成したことを特徴とする請求項３に記載の照明装置。
【発明の詳細な説明】
【技術分野】
【０００１】
本発明は、光源と、反射面を有するリフレクタとを具備し、光源から放射された光をリフレクタによって前側に反射するように構成された照明装置に関し、特には、リフレクタの反射面の全面が光っているように見せることができる照明装置に関する。
【０００２】
詳細には、本発明は、光源の主光軸線と比較的小さい角度をなして光が放射される発光素子が光源として用いられる場合であっても、リフレクタの反射面の全面が光っているように見せることができる照明装置に関する。
【背景技術】
【０００３】
従来から、光源（半導体発光素子）と、反射面を有するリフレクタとを具備し、光源（半導体発光素子）から放射された光をリフレクタによって前側に反射するように構成された照明装置（灯具ユニット）が知られている。この種の照明装置（灯具ユニット）の例としては、例えば特開２００５−５６７０４号公報の図３に記載されたものがある。
【０００４】
特開２００５−５６７０４号公報の図３に記載された照明装置（灯具ユニット）では、リフレクタの反射面を構成する放物線の焦点上に光源が配置されている。その結果、特開２００５−５６７０４号公報の図３に記載された照明装置（灯具ユニット）では、光源から放射された光のうち、その放物線上の点において反射された光が、平行光になって前側に照射されている。
【０００５】
ところで、特開２００５−５６７０４号公報の図３に記載された照明装置（灯具ユニット）では、光源として、指向性の高い半導体発光素子が用いられている。つまり、特開２００５−５６７０４号公報の図３に記載された照明装置（灯具ユニット）では、光源として、光源の主光軸線と比較的小さい角度をなして光が放射される半導体発光素子が用いられている。
【０００６】
そのため、特開２００５−５６７０４号公報の図３に記載された照明装置（灯具ユニット）では、リフレクタの反射面のうち、光源（半導体発光素子）から遠い反射面の先端部分（特開２００５−５６７０４号公報の図３の上側の部分）には、光源（半導体発光素子）からの放射光が到達しており、その部分を発光面として機能させることができるものの、リフレクタの反射面のうち、光源（半導体発光素子）から近い反射面の根元部分（特開２００５−５６７０４号公報の図３の下側の部分）には、光源（半導体発光素子）からの放射光が到達しておらず、その部分を発光面として機能させることができない。
【０００７】
換言すれば、特開２００５−５６７０４号公報の図３に記載された照明装置（灯具ユニット）のように、光源と、反射面を有するリフレクタとを具備する従来の照明装置では、リフレクタの反射面のうち、光源から近い側に発光面として機能しない部分が生じてしまう。
【０００８】
つまり、光源と、反射面を有するリフレクタとを具備する従来の照明装置では、リフレクタの反射面の全面が光っているように見せることができない。
【０００９】
【特許文献１】特開２００５−５６７０４号公報
【発明の開示】
【発明が解決しようとする課題】
【００１０】
前記問題点に鑑み、本発明は、リフレクタの反射面の全面が光っているように見せることができる照明装置を提供することを目的とする。
【００１１】
詳細には、本発明は、光源の主光軸線と比較的小さい角度をなして光が放射される発光素子が光源として用いられる場合であっても、リフレクタの反射面の全面が光っているように見せることができる照明装置を提供することを目的とする。
【課題を解決するための手段】
【００１２】
請求項１に記載の発明によれば、光源と、反射面を有するリフレクタとを具備し、
前記光源から放射された光を前記リフレクタによって照明装置の前側に反射するように構成された照明装置において、
前記光源から放射された光を照明装置の左側または右側に反射するための第１反射面と、前記第１反射面からの反射光を照明装置の前側に反射するための第２反射面とを有する導光部を設け、
前記リフレクタの反射面のうち、前記光源から近い側の部分の前側に前記導光部を配置し、
前記第１反射面および前記第２反射面を光源の主光軸線の左側および右側にそれぞれ配置し、
前記光源から放射された光を照明装置の前側に反射するための第３反射面を光源の主光軸線の左側および右側の２つの第２反射面の間に配置し、
前記第３反射面からの反射光を透過させるための出射面を前記導光部に形成し、
照明装置の前後方向に直交する鉛直断面内における前記第３反射面の断面形状を凹状に形成し、
水平断面内における前記出射面の断面形状を凸状に形成したことを特徴とする照明装置が提供される。
【００１３】
請求項２に記載の発明によれば、前記リフレクタと前記導光部とを一部材によって形成したことを特徴とする請求項１に記載の照明装置が提供される。
【００１４】
請求項３に記載の発明によれば、前記リフレクタの反射面のうち、前記光源から遠い側の部分の前側に拡散機能を備えたレンズ部を配置したことを特徴とする請求項２に記載の照明装置が提供される。
【００１５】
請求項４に記載の発明によれば、前記レンズ部と前記導光部とを一体的に形成したことを特徴とする請求項３に記載の照明装置が提供される。
【発明の効果】
【００１７】
請求項１に記載の照明装置では、光源から放射された光を左側または右側に反射するための第１反射面と、第１反射面からの反射光を前側に反射するための第２反射面とを有する導光部が設けられ、リフレクタの反射面のうち、光源から近い側の部分の前側に導光部が配置されている。
【００１８】
つまり、請求項１に記載の照明装置では、リフレクタの反射面のうち、発光面として機能しないおそれのある光源から近い側の部分の前側に導光部が配置され、その導光部の第２反射面から前側に光が照射される。
【００１９】
換言すれば、請求項１に記載の照明装置では、リフレクタの反射面のうち、光源から近い側の部分から前側に光が照射されないのを補うために、その部分の前側に配置された導光部の第２反射面から前側に光が照射される。
【００２０】
そのため、請求項１に記載の照明装置によれば、リフレクタの反射面の全面が光っているように見せることができる。
【００２１】
詳細には、請求項１に記載の照明装置によれば、光源の主光軸線と比較的小さい角度をなして光が放射される発光素子が光源として用いられる場合であっても、リフレクタの反射面の全面が光っているように見せることができる。
【００２２】
更に詳細には、請求項１に記載の照明装置によれば、リフレクタの反射面のうち、発光面として機能しないおそれのある光源から近い側の部分が光っているように見せるために他の光源を追加する必要性を排除することができる。
【００２３】
請求項１に記載の照明装置では、光源から放射された光を前側に反射するための第３反射面が、光源の主光軸線の両側の２つの第２反射面の間に配置されている。そのため、請求項１に記載の照明装置によれば、リフレクタの反射面のうち、光源から近い側の部分の前側に導光部が配置されるのに伴って、導光部の２つの第２反射面の間の部分が光って見えなくなってしまうのを回避することができる。
【００２４】
請求項２に記載の照明装置では、リフレクタと導光部とが一部材によって形成されている。そのため、請求項２に記載の照明装置によれば、リフレクタと導光部とが別個の部材によって形成されている場合よりも、照明装置全体の組立コストを低減すると共に、リフレクタから照射される光および導光部から照射される光を正確に制御することができる。
【００２５】
請求項３に記載の照明装置では、リフレクタの反射面のうち、光源から遠い側の部分の前側に拡散機能を備えたレンズ部が配置されている。そのため、請求項３に記載の照明装置によれば、仮にリフレクタの反射面のうち、光源から遠い側の部分が延ばされるのに伴って、その部分に光源からの放射光が到達しなくなり、その部分が発光面として機能しなくなった場合であっても、リフレクタの反射面のうち、発光面として機能している部分からの反射光をレンズ部によって拡散させることにより、リフレクタの反射面の全面が光っているように見せることができる。
【００２６】
請求項４に記載の照明装置では、レンズ部と導光部とが一体的に形成されている。そのため、請求項４に記載の照明装置によれば、レンズ部と導光部とが別個の部材によって形成されている場合よりも、照明装置全体の組立コストを低減すると共に、レンズ部から照射される光および導光部から照射される光を正確に制御することができる。
【発明を実施するための最良の形態】
【００２７】
以下、本発明の照明装置の第１の実施形態について説明する。図１および図２は第１の実施形態の照明装置を示した図である。詳細には、図１（Ａ）は第１の実施形態の照明装置の斜視図、図１（Ｂ）は第１の実施形態の照明装置の平面図、図１（Ｃ）は第１の実施形態の照明装置の正面図、図１（Ｄ）は第１の実施形態の照明装置の右側面図である。図２（Ａ）は図１（Ｂ）のＡ−Ａ断面図、図２（Ｂ）は図１（Ｃ）のＢ−Ｂ断面図、図２（Ｃ）は図１（Ｃ）のＣ−Ｃ断面図である。
【００２８】
図１および図２において、１は例えばＬＥＤのような光源を示しており、ＣＬは照明装置の上下方向（図１（Ｃ）、図１（Ｄ）および図２（Ｂ）の上下方向）に延びている光源１の主光軸線を示している。第１の実施形態の照明装置では、光源１として、例えば面実装タイプ、ディスクリートタイプなどのような任意のＬＥＤを用いることが可能である。
【００２９】
また、図１および図２において、２は光源１の主光軸線ＣＬと角度をなして光源１から放射された光を照明装置の前側（図１（Ａ）の左下側かつ手前側、図１（Ｂ）の下側、図１（Ｃ）の手前側、図１（Ｄ）の左側）に反射して照射するための配光制御部材を示している。
【００３０】
更に、図１および図２において、２ａは配光制御部材２の一部を構成しているリフレクタ部を示しており、２ｂは配光制御部材２の一部を構成している導光部を示しており、２ｃはリフレクタ部２ａと導光部２ｂとを連結するための連結部を示している。
【００３１】
また、図１および図２において、２ａ１，２ａ２，２ａ３，２ａ４，２ａ５，２ａ６はリフレクタ部２ａに形成された放物系反射面を示している。第１の実施形態の照明装置では、例えば光源１あるいはその近傍を焦点とする放物線をスイープすることにより得られる放物柱面によって放物系反射面２ａ１，２ａ２，２ａ３，２ａ４，２ａ５，２ａ６が構成されているが、第２の実施形態の照明装置では、代わりに、例えば光源１あるいはその近傍を焦点とする放物線を所定の中心軸線を中心に回転させることにより得られる回転放物面によって放物系反射面２ａ１，２ａ２，２ａ３，２ａ４，２ａ５，２ａ６を構成することも可能である。
【００３２】
更に、図１および図２において、２ａＨはリフレクタ部２ａのうち、光源１から遠い上側部分を示しており、２ａＬはリフレクタ部２ａのうち、光源１から近い下側部分を示している。
【００３３】
また、図１および図２において、２ｂ０は光源１から放射された光の一部を導光部２ｂ内に進入させるための入射面を示している。第１の実施形態の照明装置では、例えば球面によって入射面２ｂ０が構成されているが、第３の実施形態の照明装置では、代わりに、例えば平面のような任意の面によって入射面２ｂ０を構成することも可能である。
【００３４】
更に、図１および図２において、２ｂ１は光源１から放射された光の一部を照明装置の左側（図１（Ｂ）の左側）に反射するための反射面を示しており、２ｂ２は光源１から放射された光の一部を照明装置の右側（図１（Ｂ）の右側）に反射するための反射面を示している。第１の実施形態の照明装置では、例えば光源１あるいはその近傍を焦点とする放物線を所定の中心軸線を中心に回転させることにより得られる回転放物面によって反射面２ｂ１，２ｂ２が構成されているが、第４の実施形態の照明装置では、代わりに、例えば放物柱面、平面などのような任意の面によって反射面２ｂ１，２ｂ２を構成することも可能である。
【００３５】
また、図１および図２において、２ｂ３は反射面２ｂ１からの反射光を照明装置の前側（図１（Ｂ）の下側）に反射するための反射面を示しており、２ｂ４は反射面２ｂ２からの反射光を照明装置の前側（図１（Ｂ）の下側）に反射するための反射面を示している。第１の実施形態の照明装置では、反射面２ｂ３が、図１（Ｂ）の右上側から左下側に延びている複数の面に分割されて構成されているが、第５の実施形態の照明装置では、代わりに、反射面２ｂ３を図１（Ｂ）の右上側から左下側に延びている１つの面によって構成することも可能である。同様に、第１の実施形態の照明装置では、反射面２ｂ４が、図１（Ｂ）の左上側から右下側に延びている複数の面に分割されて構成されているが、第６の実施形態では、代わりに、反射面２ｂ４を図１（Ｂ）の左上側から右下側に延びている１つの面によって構成することも可能である。
【００３６】
更に、図１および図２において、２ｂ５は反射面２ｂ３からの反射光を透過させるための出射面を示しており、２ｂ６は反射面２ｂ４からの反射光を透過させるための出射面を示している。第１の実施形態の照明装置では、出射面２ｂ５，２ｂ６を透過せしめられて照明装置の前側（図１（Ａ）の左下側かつ手前側、図１（Ｂ）の下側）に照射される光を照明装置の上下方向（図１（Ｃ）の上下方向）に拡散させるために出射面２ｂ５，２ｂ６が凸状に形成されているが、第７の実施形態の照明装置では、代わりに、出射面２ｂ５，２ｂ６を例えば平面のような任意の面によって構成したり、出射面２ｂ５，２ｂ６にレンズカットを形成したりすることも可能である。
【００３７】
また、図１および図２において、２ｂ７は光源１から放射された光の一部を照明装置の前側（図１（Ｂ）の下側）に反射するための反射面を示している。第１の実施形態の照明装置では、例えば光源１あるいはその近傍を焦点とする放物線を所定の中心軸線を中心に回転させることにより得られる回転放物面によって反射面２ｂ７が構成されているが、第８の実施形態の照明装置では、代わりに、任意の面によって反射面２ｂ７を構成することも可能である。
【００３８】
更に、図１および図２において、２ｂ８は反射面２ｂ７からの反射光を透過させるための出射面を示している。第１の実施形態の照明装置では、出射面２ｂ８を透過せしめられて照明装置の前側（図１（Ａ）の左下側かつ手前側、図１（Ｂ）の下側）に照射される光を照明装置の左右方向（図１（Ｂ）の左右方向）に拡散させるために出射面２ｂ８が凸状に形成されているが、第９の実施形態の照明装置では、代わりに、出射面２ｂ８を任意の面によって構成したり、出射面２ｂ８にレンズカットを形成したりすることも可能である。
【００３９】
また、図１および図２において、２ｃ１は光源１からの光をリフレクタ部２ａに到達させるために連結部２ｃに形成された開口を示している。
【００４０】
図３〜図５は光源１から放射された光の光路を示した図である。
【００４１】
第１の実施形態の照明装置では、図３（Ａ）および図３（Ｂ）に示すように、光源１から放射された光の一部が、入射面２ｂ０（図２（Ａ）および図２（Ｂ）参照）を透過せしめられ、反射面２ｂ１に到達し、その反射面２ｂ１によって照明装置の左側（図３（Ａ）および図３（Ｂ）の左側）に反射される。次いで、図３（Ｂ）および図３（Ｃ）に示すように、反射面２ｂ１からの反射光が、反射面２ｂ３によって照明装置の前側（図３（Ｂ）の下側、図３（Ｃ）の右側）に反射される。次いで、反射面２ｂ３からの反射光が、出射面２ｂ５を透過せしめられ、照明装置の前側（図３（Ｂ）の下側、図３（Ｃ）の右側）に照射される。
【００４２】
また、第１の実施形態の照明装置では、図３（Ａ）および図３（Ｂ）に示すように、光源１から放射された光の一部が、入射面２ｂ０（図２（Ａ）および図２（Ｂ）参照）を透過せしめられ、反射面２ｂ２に到達し、その反射面２ｂ２によって照明装置の右側（図３（Ａ）および図３（Ｂ）の右側）に反射される。次いで、図３（Ｂ）および図３（Ｄ）に示すように、反射面２ｂ２からの反射光が、反射面２ｂ４によって照明装置の前側（図３（Ｂ）の下側、図３（Ｄ）の右側）に反射される。次いで、反射面２ｂ４からの反射光が、出射面２ｂ６を透過せしめられ、照明装置の前側（図３（Ｂ）の下側、図３（Ｄ）の右側）に照射される。
【００４３】
更に、第１の実施形態の照明装置では、図４（Ａ）および図４（Ｂ）に示すように、光源１から放射された光の一部が、入射面２ｂ０（図２（Ａ）および図２（Ｂ）参照）を透過せしめられ、反射面２ｂ７に到達し、その反射面２ｂ７によって照明装置の前側（図４（Ａ）の下側、図４（Ｂ）の右側）に反射される。次いで、反射面２ｂ７からの反射光が、出射面２ｂ８を透過せしめられ、照明装置の前側（図４（Ａ）の下側、図４（Ｂ）の右側）に照射される。
【００４４】
また、第１の実施形態の照明装置では、図５（Ａ）および図５（Ｂ）に示すように、光源１から放射された光の一部が、連結部２ｃの開口２ｃ１（図１（Ａ）、図１（Ｂ）および図２（Ｂ）参照）を通過せしめられ、反射面２ａ１に到達し、その反射面２ａ１によって照明装置の前側（図５（Ａ）の下側、図５（Ｂ）の右側）に反射され、照明装置の前側（図５（Ａ）の下側、図５（Ｂ）の右側）に照射される。
【００４５】
更に、第１の実施形態の照明装置では、図５（Ａ）に示すように、光源１から放射された光の一部が、連結部２ｃの開口２ｃ１（図１（Ａ）、図１（Ｂ）および図２（Ｂ）参照）を通過せしめられ、反射面２ａ２に到達し、その反射面２ａ２によって照明装置の前側（図５（Ａ）の下側）に反射され、照明装置の前側（図５（Ａ）の下側）に照射される。
【００４６】
また、第１の実施形態の照明装置では、図５（Ａ）および図５（Ｃ）に示すように、光源１から放射された光の一部が、連結部２ｃの開口２ｃ１（図１（Ａ）、図１（Ｂ）および図２（Ｂ）参照）を通過せしめられ、反射面２ａ３に到達し、その反射面２ａ３によって照明装置の前側（図５（Ａ）の下側、図５（Ｃ）の右側）に反射され、照明装置の前側（図５（Ａ）の下側、図５（Ｃ）の右側）に照射される。
【００４７】
更に、第１の実施形態の照明装置では、図５（Ａ）および図５（Ｄ）に示すように、光源１から放射された光の一部が、連結部２ｃの開口２ｃ１（図１（Ａ）、図１（Ｂ）および図２（Ｂ）参照）を通過せしめられ、反射面２ａ４に到達し、その反射面２ａ４によって照明装置の前側（図５（Ａ）の下側、図５（Ｄ）の右側）に反射され、照明装置の前側（図５（Ａ）の下側、図５（Ｄ）の右側）に照射される。
【００４８】
また、第１の実施形態の照明装置では、図５（Ａ）に示すように、光源１から放射された光の一部が、連結部２ｃの開口２ｃ１（図１（Ａ）、図１（Ｂ）および図２（Ｂ）参照）を通過せしめられ、反射面２ａ５に到達し、その反射面２ａ５によって照明装置の前側（図５（Ａ）の下側）に反射され、照明装置の前側（図５（Ａ）の下側）に照射される。
【００４９】
更に、第１の実施形態の照明装置では、図５（Ａ）および図５（Ｅ）に示すように、光源１から放射された光の一部が、連結部２ｃの開口２ｃ１（図１（Ａ）、図１（Ｂ）および図２（Ｂ）参照）を通過せしめられ、反射面２ａ６に到達し、その反射面２ａ６によって照明装置の前側（図５（Ａ）の下側、図５（Ｅ）の右側）に反射され、照明装置の前側（図５（Ａ）の下側、図５（Ｅ）の右側）に照射される。
【００５０】
詳細には、第１の実施形態の照明装置では、図１および図３に示すように、光源１から放射された光を照明装置の左側（図３（Ａ）および図３（Ｂ）の左側）に反射するための反射面２ｂ１と、その反射面２ｂ１からの反射光を照明装置の前側（図３（Ｂ）の下側、図３（Ｃ）の右側）に反射するための反射面２ｂ３と、光源１から放射された光を照明装置の右側（図３（Ａ）および図３（Ｂ）の右側）に反射するための反射面２ｂ２と、その反射面２ｂ２からの反射光を照明装置の前側（図３（Ｂ）の下側、図３（Ｄ）の右側）に反射するための反射面２ｂ４とを有する導光部２ｂが、リフレクタ部２ａの放物系反射面２ａ１，２ａ２，２ａ３，２ａ４，２ａ５，２ａ６のうち、光源１から近い下側部分２ａＬの前側（図１（Ｄ）の左側）に配置されている。
【００５１】
つまり、第１の実施形態の照明装置では、図１および図３に示すように、リフレクタ部２ａの放物系反射面２ａ１，２ａ２，２ａ３，２ａ４，２ａ５，２ａ６のうち、発光面として機能しないおそれのある光源１から近い下側部分２ａＬの前側（図１（Ｄ）の左側）に導光部２ｂが配置され、その導光部２ｂの反射面２ｂ３，２ｂ４から照明装置の前側（図３（Ｂ）の下側、図３（Ｃ）および図３（Ｄ）の右側）に光が照射される。
【００５２】
換言すれば、第１の実施形態の照明装置では、図１および図３に示すように、リフレクタ部２ａの放物系反射面２ａ１，２ａ２，２ａ３，２ａ４，２ａ５，２ａ６のうち、光源から近い下側部分２ａＬから照明装置の前側（図５（Ｂ）、図５（Ｃ）、図５（Ｄ）および図５（Ｅ）の右側）に光が照射されないのを補うために、リフレクタ部２ａの下側部分２ａＬの前側（図１（Ｄ）の左側）に配置された導光部２ｂの反射面２ｂ３，２ｂ４から照明装置の前側（図３（Ｂ）の下側、図３（Ｃ）および図３（Ｄ）の右側）に光が照射される。
【００５３】
更に、第１の実施形態の照明装置では、図１および図４に示すように、光源１から放射された光を照明装置の前側（図４（Ａ）の下側、図４（Ｂ）の右側）に反射するための反射面２ｂ７が、光源１の主光軸線ＣＬの左側の反射面２ｂ３と、光源１の主光軸線ＣＬの右側の反射面２ｂ４との間に配置されている。
【００５４】
そのため、第１の実施形態の照明装置によれば、リフレクタ部２ａの上側部分２ａＨの放物系反射面２ａ１，２ａ２，２ａ３，２ａ４，２ａ５，２ａ６が光っているように見せることができると共に、リフレクタ部２ａの下側部分２ａＬの放物系反射面２ａ１，２ａ２，２ａ３，２ａ４，２ａ５，２ａ６の前側（図５（Ａ）の下側）に配置された導光部２ｂの反射面２ｂ３，２ｂ４，２ｂ７が光っているように見せることができる。
【００５５】
つまり、第１の実施形態の照明装置によれば、リフレクタ部２ａの上側部分２ａＨの放物系反射面２ａ１，２ａ２，２ａ３，２ａ４，２ａ５，２ａ６の全面が光っているように見せることができると共に、あたかもリフレクタ部２ａの下側部分２ａＬの放物系反射面２ａ１，２ａ２，２ａ３，２ａ４，２ａ５，２ａ６の全面が光っているかのように見せることができる。
【００５６】
換言すれば、第１の実施形態の照明装置によれば、あたかもリフレクタ部２ａの放物系反射面２ａ１，２ａ２，２ａ３，２ａ４，２ａ５，２ａ６の上側部分２ａＨおよび下側部分２ａＬの全面が光っているかのように見せることができる。
【００５７】
詳細には、第１の実施形態の照明装置によれば、光源１の主光軸線ＣＬと比較的小さい角度をなして光が放射される光源１が用いられる場合であっても、リフレクタ部２ａの放物系反射面２ａ１，２ａ２，２ａ３，２ａ４，２ａ５，２ａ６の全面が光っているように見せることができる。
【００５８】
更に詳細には、第１の実施形態の照明装置によれば、リフレクタ２ａの放物系反射面２ａ１，２ａ２，２ａ３，２ａ４，２ａ５，２ａ６のうち、発光面として機能しないおそれのある光源１から近い下側部分２ａＬが光っているように見せるために他の光源を追加する必要性を排除することができる。
【００５９】
更に、第１の実施形態の照明装置では、図１および図４に示すように、光源１から放射された光を照明装置の前側（図４（Ａ）の下側、図４（Ｂ）の右側）に反射するための反射面２ｂ７が、光源１の主光軸線ＣＬの左側の反射面２ｂ３と、光源１の主光軸線ＣＬの右側の反射面２ｂ４との間に配置されている。
【００６０】
そのため、第１の実施形態の照明装置によれば、リフレクタ部２ａの放物系反射面２ａ３，２ａ４のうち、光源１から近い下側部分２ａＬの前側（図５（Ａ）の下側）に導光部２ｂが配置され、放物系反射面２ａ３，２ａ４からの光が導光部２ｂによって遮断されるのに伴って、導光部２ｂの反射面２ｂ３と反射面２ｂ４との間の部分が光って見えなくなってしまうのを回避することができる。
【００６１】
また、第１の実施形態の照明装置では、リフレクタ部２ａと導光部２ｂと連結部２ｃとが一部材によって形成されている。そのため、第１の実施形態の照明装置によれば、リフレクタ２ａと導光部２ｂと連結部２ｃとが別個の部材によって形成されている場合よりも、照明装置全体の組立コストを低減すると共に、リフレクタ部２ａから照射される光および導光部２ｂから照射される光を正確に制御することができる。
【００６２】
以下、本発明の照明装置の第１０の実施形態について説明する。第１０の実施形態の照明装置は、後述する点を除き、上述した第１の実施形態の照明装置とほぼ同様に構成されている。従って、第１０の実施形態の照明装置によれば、後述する点を除き、上述した第１の実施形態の照明装置とほぼ同様の効果を奏することができる。
【００６３】
図６は第１０の実施形態の照明装置を示した図である。詳細には、図６（Ａ）は第１０の実施形態の照明装置の右側面図、図６（Ｂ）は第１０の実施形態の照明装置の正面図である。図６において、２’は第１０の実施形態の照明装置の配光制御部材を示している。
【００６４】
第１０の実施形態の照明装置では、図６に示すように、リフレクタ部２ａの放物系反射面２ａ１，２ａ２，２ａ３，２ａ４，２ａ５，２ａ６のうち、光源１から遠い上側部分２ａＨの前側（図６（Ａ）の左側）に拡散機能を備えたレンズ部２ｄが配置されている。詳細には、リフレクタ部２ａの放物系反射面２ａ１，２ａ２，２ａ３，２ａ４，２ａ５，２ａ６のうち、光源１から遠い上側部分２ａＨの前側（図６（Ａ）の左側）であって、導光部２ｂの上側（図６（Ａ）および図６（Ｂ）の上側）に拡散機能を備えたレンズ部２ｄが配置されている。更に詳細には、導光部２ｂとレンズ部２ｄとが一部材によって一体的に形成されている。
【００６５】
そのため、第１０の実施形態の照明装置によれば、仮にリフレクタ部２ａの放物系反射面２ａ１，２ａ２，２ａ３，２ａ４，２ａ５，２ａ６のうち、光源１から遠い上側部分２ａＨが第１の実施形態の照明装置の上側部分２ａＨ（図１参照）よりも上側（図６（Ａ）の上側）に延ばされるのに伴って、その上側部分２ａＨに光源１からの放射光が到達しなくなり、その上側部分２ａＨの一部が発光面として機能しなくなった場合であっても、リフレクタ部２ａの放物系反射面２ａ１，２ａ２，２ａ３，２ａ４，２ａ５，２ａ６の上側部分２ａＨのうち、発光面として機能している部分からの反射光をレンズ部２ｄによって拡散させることにより、リフレクタ部２ａの放物系反射面２ａ１，２ａ２，２ａ３，２ａ４，２ａ５，２ａ６の上側部分２ａＨの全面が光っているように見せることができる。
【００６６】
図７は第１１の実施形態を示した図、図８は第１２の実施形態を示した図である。第１１の実施形態では、図７に示すように、図１〜図５に示した第１の実施形態の照明装置を例えば４個横方向に並べて配列することにより、大きい発光面が形成されている。また、第１２の実施形態では、図８に示すように、図１〜図５に示した第１の実施形態の照明装置を例えば４個横方向に並べて配列したものを上下方向に２段配列することにより、更に大きい発光面が形成されている。
【００６７】
第１３の実施形態では、上述した第１から第１２の実施形態を適宜組合わせることも可能である。
【産業上の利用可能性】
【００６８】
本発明の照明装置は、車両の前方を照射するための車両用灯具、車両の後方を照射するための車両用灯具、車両の側方を照射するための車両用灯具、一般的な照明装置などに適用可能である。
【図面の簡単な説明】
【００６９】
【図１】第１の実施形態の照明装置を示した図である。
【図２】第１の実施形態の照明装置を示した図である。
【図３】光源１から放射された光の光路を示した図である。
【図４】光源１から放射された光の光路を示した図である。
【図５】光源１から放射された光の光路を示した図である。
【図６】第１０の実施形態の照明装置を示した図である。
【図７】第１１の実施形態を示した図である。
【図８】第１２の実施形態を示した図である。
【符号の説明】
【００７０】
１                      光源
ＣＬ                    主光軸線
２                      配光制御部材
２ａ                    リフレクタ部
２ａ１，２ａ２，２ａ３  反射面
２ａ４，２ａ５，２ａ６  反射面
２ｂ                    導光部
２ｂ１，２ｂ２          反射面
２ｂ３，２ｂ４          反射面
２ｂ５，２ｂ６          出射面
２ｂ７                  反射面
２ｂ８                  出射面
２ｃ                    連結部
２ｃ１                  開口
【図１】
0004697969.tif 000002
【図２】
0004697969.tif 000003
【図３】
0004697969.tif 000004
【図４】
0004697969.tif 000005
【図５】
0004697969.tif 000006
【図６】
0004697969.tif 000007
【図７】
0004697969.tif 000008
【図８】
0004697969.tif 000009